(57)【要約】【課題】用紙収容部に収容された用紙の視認を容易にさせる画像形成装置を提供する。【解決手段】排出された印刷用紙Ｐが収容される用紙収容部１０と、用紙収容部１０の上方に設けられた操作装置３０とを有する複写機１であって、操作装置３０を、用紙収容部１０の上方で用紙収容部１０に臨んで印刷用紙Ｐを視認させる視認領域に位置する基準位置と、視認領域から退避した退避位置との間で移動させる移動機構４０を有するという構成を採用する。【選択図】図７
2009210885.tif 000002
【特許請求の範囲】
【請求項１】
排出された用紙が収容される用紙収容部と、前記用紙収容部の上方に設けられた操作部とを有する画像形成装置であって、
前記操作部を、前記用紙収容部の上方で前記用紙収容部に臨んで前記用紙を視認させる視認領域に位置する基準位置と、前記視認領域から退避した退避位置との間で移動させる移動機構を有することを特徴とする画像形成装置。
【請求項２】
前記移動機構は、前記退避位置において前記操作部の操作面を垂直に傾けることを特徴とする請求項１に記載の画像形成装置。
【請求項３】
前記移動機構は、前記基準位置から前記退避位置まで延在する案内溝部と、
前記操作部に設けられ、前記案内溝部に沿って移動自在な滑動部材とを有することを特徴とする請求項１または２に記載の画像形成装置。
【請求項４】
前記案内溝部には、前記基準位置及び前記退避位置に、前記滑動部材が係合する係合凹部が設けられ、
前記移動機構は、前記滑動部材を付勢して前記係合凹部に係合させる付勢装置を有することを特徴とする請求項３に記載の画像形成装置。
【請求項５】
前記付勢装置の付勢方向と逆方向に前記滑動部材を移動させて、前記係合凹部との係合を解除する係合解除装置を有することを特徴とする請求項４に記載の画像形成装置。
【請求項６】
前記案内溝部は、所定の距離で離間して一対となって設けられており、
前記係合凹部が、前記案内溝部に対して、対となる前記案内溝部側に設けられていることを特徴とする請求項４または５に記載の画像形成装置。
【発明の詳細な説明】
【技術分野】
【０００１】
本発明は、用紙に画像を形成する複写機、プリンタ、またはファクシミリ装置等の画像形成装置に関するものである。
【背景技術】
【０００２】
画像形成装置は、操作者がタッチパネルやテンキー、スイッチ類が設けられた操作部を操作することで用紙に所望の画像を形成し、画像が形成された用紙を用紙収容部に排出・収容して、後に操作者が用紙収容部から当該用紙を回収する構成が一般的である。
【０００３】
従来、画像形成装置においては、画像を形成した用紙を排出して収容する用紙収容部が画像形成装置本体の胴体に設けられ、操作部が当該用紙収容部の上方に設けられる構成の画像形成装置が知られている（例えば、特許文献１参照）。
【特許文献１】特開２００７−４７８２４号公報
【発明の開示】
【発明が解決しようとする課題】
【０００４】
しかしながら、操作部は、用紙収容部の上方であって、その外形が画像形成装置本体の手前側に突出する形で備え付けられている。したがって、用紙収容部から用紙を回収する際、操作部が操作者の視界を遮り、用紙収容部に収容された用紙の視認を困難にさせるという問題がある。
【０００５】
本発明は、上述する問題点に鑑みてなされたもので、用紙収容部に収容された用紙の視認を容易にさせる画像形成装置を提供することを目的とする。
【課題を解決するための手段】
【０００６】
上記の課題を解決するために、本発明は、排出された用紙が収容される用紙収容部と、上記用紙収容部の上方に設けられた操作部とを有する画像形成装置であって、上記操作部を、上記用紙収容部の上方で上記用紙収容部に臨んで上記用紙を視認させる視認領域に位置する基準位置と、上記視認領域から退避した退避位置との間で移動させる移動機構を有するという構成を採用する。
このような構成を採用することによって、本発明では、操作者の視界を遮る操作部を、操作者が用紙収容部に臨む視認領域から退避させることができる。
【０００７】
また、本発明においては、上記移動機構は、上記退避位置において上記操作部の操作面を垂直に傾けるという構成を採用する。
このような構成を採用することによって、本発明では、操作部が画像形成装置本体の手前側に突出する突出量を低減させることができる。
【０００８】
また、本発明においては、上記移動機構は、上記基準位置から上記退避位置まで延在する案内溝部と、上記操作部に設けられ、上記案内溝部に沿って移動自在な滑動部材とを有するという構成を採用する。
このような構成を採用することによって、本発明では、操作部に設けられた滑動部材を案内溝部に沿わせて移動させることによって、操作部を基準位置と退避位置との間で容易に移動させることができる。
【０００９】
また、本発明においては、上記案内溝部には、上記基準位置及び上記退避位置に、上記滑動部材が係合する係合凹部が設けられ、上記移動機構は、上記滑動部材を付勢して上記係合凹部に係合させる付勢装置を有するという構成を採用する。
このような構成を採用することによって、本発明では、操作部を基準位置及び退避位置に移動させたとき滑動部材と係合凹部とが係合して、基準位置及び退避位置にて操作部を自動的に固定することができる。
【００１０】
また、本発明においては、上記付勢装置の付勢方向と逆方向に上記滑動部材を移動させて、上記係合凹部との係合を解除する係合解除装置を有するという構成を採用する。
このような構成を採用することによって、本発明では、係合解除装置を操作することで滑動部材と係合凹部との係合解除を容易にすることができる。
【００１１】
また、本発明においては、上記案内溝部は、所定の距離で離間して一対となって設けられており、上記係合凹部が、上記案内溝部に対して、対となる上記案内溝部側に設けられているという構成を採用する。
このような構成を採用することによって、本発明では、一対の案内溝部に沿って移動する滑動部材を互いに近接離間させることで滑動部材と係合凹部との係合及び係合解除を容易にさせることができる。
【発明の効果】
【００１２】
本発明によれば、排出された用紙が収容される用紙収容部と、上記用紙収容部の上方に設けられた操作部とを有する画像形成装置であって、上記操作部を、上記用紙収容部の上方で上記用紙収容部に臨んで上記用紙を視認させる視認領域に位置する基準位置と、上記視認領域から退避した退避位置との間で移動させる移動機構を有するという構成を採用することによって、操作者の視界を遮る操作部を、操作者が用紙収容部に臨む視認領域から退避させることができる。
したがって、本発明では、用紙収容部に収容された用紙の視認を容易にさせることができる効果がある。
【発明を実施するための最良の形態】
【００１３】
次に、本発明の実施形態を図面に基づいて説明する。なお、以下に説明においては、本発明の画像形成装置を複写機に適応した場合の例について説明する。また、以下の図面において、各部材を認識可能な大きさとするために、各部材の縮尺を適宜変更している。
【００１４】
図１は、本実施形態における複写機１を示す斜視図である。
複写機１は、画像を形成した印刷用紙（用紙）を排出して収容する用紙収容部１０が複写機本体の胴体に設けられた、いわゆる胴内排出型複写機である。
複写機１は、図１に示すように、原稿の画像を読み取るスキャナ装置２１と、スキャナ装置２１の原稿読取位置に原稿を給送する自動原稿送り装置２２と、画像が形成される印刷用紙を収納する用紙カセット２３と、複写機１を操作する操作装置（操作部）３０と、操作装置３０を移動させる移動機構４０とを有する構成となっている。
また、複写機１の内部には、スキャナ装置２１で読み取った画像を記憶する画像記憶部と、記憶された画像を画像処理する画像処理部と、画像処理されたデータを基に印刷処理をする印刷部と、複写機１の全体動作を制御する制御部とを備える構成となっている。
【００１５】
スキャナ装置２１は、例えば、原稿の画像を読み取るＣＣＤ（Charge Coupled Device）ラインセンサ等を備えるスキャナを有する構成となっており、制御部の制御の下、自動原稿送り装置２２から供給された原稿の画像をスキャナで読み取り、原稿画像の形状や色彩等の画像データを画像記憶部に出力する構成となっている。
【００１６】
画像記憶部は、ハードディスク等の外部記憶装置或いは／及び半導体メモリ等から構成されており、制御部の制御の下、スキャナ装置２１から入力された画像データを書き込み記憶すると共に、当該画像データを読み出して画像処理部へ出力する構成となっている。
【００１７】
画像処理部は、制御部の制御の下、画像記憶部から入力された原稿の画像データ（ＲＧＢ型式画像データ）に各種の画像処理を施すと共に、当該画像処理によって生成された画像データ（ＲＧＢ型式画像データ）を印刷形式の画像データ（ＣＭＹＫ型式画像データ）に変換して印刷部に出力するものである。
【００１８】
印刷部は、制御部の制御の下、用紙カセット２３に収納された印刷用紙を搬送しつつ当該印刷用紙にトナーを付着させることにより、画像処理部から入力された画像データに基づいて印刷用紙に画像を形成するものであり、感光ドラム、露光装置、定着装置等を備える構成となっている。また、画像が形成された印刷用紙は、用紙収容部１０に排出されることとなる。
【００１９】
制御部は、ＣＰＵ（Central Processing Unit）、ＲＯＭ（Read Only Memory）やＲＡＭ（Random Access Memory）等の内部メモリから成る電子部品及び電子回路等、並びに各種構成機器とのデータ授受を行う入出力インターフェース回路等から構成されている。
【００２０】
操作装置３０は、操作者の指令を制御部へ伝達するものであり、用紙収容部１０の上方に設けられ、操作面３０ａ側に表示部３１と操作キー３２とを有する構成となっている。なお、操作装置３０は、不図示のフレキシブルケーブルによって制御部と電気的に接続される構成となっている。
表示部３１は、例えばタッチパネルや液晶ディスプレイ等から構成されており、操作者と複写機１とを関係付けるマンマシンインタフェースとして機能する。
操作キー３２は、例えば電源ボタン、数字ボタン、印刷開始ボタン等、表示部に表示される操作ボタン以外のハードウエアキーである。操作キー３２は、ハードウエアキーとして物理的に備えられたものであり、操作者の操作に基づいた操作信号を制御部に出力する構成となっている。
【００２１】
また、操作装置３０は、スキャナ装置２１の側面に設けられた一対のレール部材４１Ａ及びレール部材４１Ｂを有する移動機構４０を介して複写機本体に接続されている。
以下、移動機構４０の構成について、図２〜図６を参照して説明する。
【００２２】
図２は、本実施形態における移動機構４０が備えるレール部材４１Ａ、４１Ｂを示す斜視図（図２において操作装置３０は不図示）である。
図３は、本実施形態におけるレール部材４１Ａの案内溝部４２Ａに沿った線視Ｘ−Ｘ断面図である。
移動機構４０は、図２及び図３に示すように、案内溝部４２Ａが設けられたレール部材４１Ａ及び案内溝部４２Ｂが設けられたレール部材４１Ｂと、案内溝部４２Ａに沿って移動自在な滑動部材５０Ａ及び案内溝部４２Ｂに沿って移動自在な滑動部材５０Ｂとを有する構成となっている。
【００２３】
レール部材４１Ａは、図２及び図３に示すように、スキャナ装置２１の側面に設けられており、一端部４１Ａ１からスキャナ装置２１の側面に沿って鉛直下方に延在すると共に、他端部４１Ａ２において所定の曲率で湾曲して手前側に突出する形状を有している。また、レール部材４１Ａには、その長さ方向に亘って案内溝部４２Ａが形成されており、案内溝部４２Ａも他端部４１Ａ２において所定の曲率で手前側に湾曲する構成となっている。
一方、レール部材４１Ｂは、レール部材４１Ａと並行に幅方向において所定の距離で離間してスキャナ装置２１の側面に設けられている。レール部材４１Ｂは、レール部材４１Ａと同様に、一端部４１Ｂ１からスキャナ装置２１の側面に沿って鉛直下方に延在すると共に、他端部４１Ｂ２において所定の曲率で湾曲して手前側に突出する形状を有している。また、レール部材４１Ｂには、その長さ方向に亘って案内溝部４２Ｂが形成されており、案内溝部４２Ｂも他端部４１Ｂ２において所定の曲率で手前側に湾曲する構成となっている。
【００２４】
案内溝部４２Ａには、一端部４１Ａ１において係合凹部４２Ａ１が、他端部４１Ａ２において係合凹部４２Ａ２が設けられる構成となっている。係合凹部４２Ａ１及び係合凹部４２Ａ２は、それぞれ、案内溝部４２Ｂが設けられる側に向かって形成されており、滑動部材５０Ａと一端部４１Ａ１または他端部４１Ａ２において係合する構成となっている。
一方、案内溝部４２Ｂには、案内溝部４２Ａとは対称的に、一端部４１Ｂ１に係合凹部４２Ｂ１が、他端部４１Ｂ２に係合凹部４２Ｂ２が設けられ、それぞれが案内溝部４２Ａが設けられる側に向かって形成され、滑動部材５０Ｂと一端部４１Ｂ１または他端部４１Ｂ２において係合する構成となっている。
【００２５】
滑動部材５０Ａは、円柱形状を有しており、図３に示すように、案内溝部４２Ａ内に移動自在に挿設される。滑動部材５０Ａは、一端が操作装置３０の裏面３０ｂ側に接続されており、他端には案内溝部４２Ａからの脱離を防止するために拡径した脱離防止部材５０Ａ１が設けられる構成となっている。
一方、滑動部材５０Ｂも同様に、円柱形状を有し、案内溝部４２Ｂ内に移動自在に挿設される。また、一端が操作装置３０の裏面３０ｂ側に接続されて、他端に案内溝部４２Ｂからの脱離を防止する脱離防止部材５０Ｂ１が設けられる構成となっている。
【００２６】
続いて、滑動部材５０Ａ及び滑動部材５０Ｂの構成について図４〜図６を参照して詳しく説明する。
図４は、本実施形態における滑動部材５０Ａ及び滑動部材５０Ｂと操作装置３０との接続関係を示す平面図である。
図５は、本実施形態における操作装置３０の内部構造を示す断面図である。
なお、図５（ａ）は、滑動部材５０Ａ及び滑動部材５０Ｂが互いに近接している状態を示し、図５（ｂ）は、滑動部材５０Ａ及び滑動部材５０Ｂが互いに離間している状態を示す。
図６は、図５（ａ）における矢印Ｙから視た要部拡大図である。
【００２７】
滑動部材５０Ａ及び滑動部材５０Ｂは、図３に示すように、押し込み部材（係合解除装置）６０の押し込みに応じ、裏面３０ｂの幅方向に設けられたスライド溝部３１Ａ及びスライド溝部３１Ｂに沿って、互いに幅方向において近接離間する移動が可能な構成となっている。
押し込み部材６０は、図５に示すように、操作装置３０内略中央部に挿設されており、その長さ方向において移動自在に設けられる構成となっている。また、押し込み部材６０の先端部６１には、二等辺三角形状が形成されており、当該三角形状の傾斜面の作用により滑動部材５０Ａ及び滑動部材５０Ｂを幅方向に移動させる構成となっている。
【００２８】
操作装置３０内において、滑動部材５０Ａはスライド部材５１Ａと接続され、滑動部材５０Ｂはスライド部材５１Ｂに接続される。
スライド部材５１Ａは、幅方向に延びる角柱部材であり、一端に滑動部材５０Ａが接続され、他端において先端部６１の一方の傾斜面と摺接する傾斜部５２Ａが設けられる。また、スライド部材５１Ｂも同様に、幅方向に延びる角柱部材であり、一端に滑動部材５０Ｂが接続され、他端において先端部６１の他方の傾斜面と摺接する傾斜部５２Ｂが設けられる。
【００２９】
スライド部材５１Ａとスライド部材５１Ｂとは、傾斜部５２Ａと傾斜部５２Ｂとの間において、２つのバネ部材（付勢装置）７０によって互いに接続されている（図６参照）。
バネ部材７０は、常態でスライド部材５１Ａとスライド部材５１Ｂとを幅方向において互いに引き合う方向に付勢する構成となっている。
【００３０】
続いて上記構成の移動機構４０による操作装置３０の移動について図７を参照して説明する。
図７（ａ）は、基準位置に操作装置３０があるときの複写機１の右側面図である。
図７（ａ）は、退避位置に操作装置３０があるときの複写機１の右側面図である。
なお、図７において、符号Ｈは、操作者の目線を、符号Ｐは、画像が形成され用紙収容部１０に排出された印刷用紙Ｐを示す。
【００３１】
操作者が複写機１を操作する場合、図７（ａ）に示すように、操作装置３０は、操作面３０ａが略水平となる状態で待機し、操作者の操作を受け付けることとなる（基準位置）。操作装置３０が基準位置にある場合、バネ部材７０（図５参照）の付勢力により、滑動部材５０Ａは係合凹部４２Ａ２と係合し、滑動部材５０Ｂは係合凹部４２Ｂ２と係合している（図２及び図３参照）。
このとき、基準位置にある操作装置３０は、用紙収容部１０の上方から用紙収容部１０に臨む目線Ｈの視認領域にあるため、用紙収容部１０に排出された印刷用紙Ｐの視認を困難とさせてしまう（図７（ａ）参照）。
したがって、操作者は、操作装置３０を視認領域から退避した退避位置に移動させるため、移動機構４０を次のように動作させる。
【００３２】
先ず、操作者は、図５に示すように、操作装置３０に設けられた押し込み部材６０を押し込み、滑動部材５０Ａと係合凹部４２Ａ２との係合、滑動部材５０Ｂと係合凹部４２Ｂ２との係合を解除する。
スライド部材５１Ａ及びスライド部材５１Ｂは、押し込み部材６０の押し込みにより、傾斜部５２Ａ及び傾斜部５２Ｂが先端部６１の傾斜面に沿って摺動することで、互いに離間する方向に押進される（図５（ｂ）参照）。当該押進により、スライド部材５１Ａに設けられた滑動部材５０Ａと、スライド部材５１Ｂに設けられた滑動部材５０Ｂとが互いに離間し、係合凹部４２Ａ２及び係合凹部４２Ｂ２との係合が解除される。
【００３３】
次に、操作者は、操作装置３０を保持して、操作装置３０をレール部材４１Ａに設けられた案内溝部４２Ａ及びレール部材４１Ｂに設けられた案内溝部４２Ｂに沿って、図７（ｂ）に示す退避位置まで移動させる。当該移動により、操作装置３０は、図３に示す案内溝部４２Ａ及び案内溝部４２Ｂの湾曲形状により、操作面３０ａが水平から垂直に傾くこととなる。
このとき、滑動部材５０Ａは、案内溝部４２Ａに沿って係合凹部４２Ａ１が設けられる位置まで移動し、バネ部材７０の付勢力により自動的に係合凹部４２Ａ１と係合する。また、滑動部材５０Ｂも同様に、案内溝部４２Ｂに沿って、係合凹部４２Ｂ１が設けられる位置まで移動し、バネ部材７０の付勢力により自動的に係合凹部４２Ａ１と係合する。
また、押し込み部材６０は、バネ部材７０の付勢力によってスライド部材５１Ａ及びスライド部材５１Ｂが互いに近接することで、先端部６１の傾斜面の作用により押し返され図５（ａ）に示す押し込み前の状態に戻ることとなる。
【００３４】
図７（ｂ）に示す退避位置にある操作装置３０は、目線Ｈの視認領域から退避しており、用紙収容部１０に排出された印刷用紙Ｐの視認を容易にさせることができる。
なお、退避位置から基準位置に操作装置３０を移動させる場合は、押し込み部材６０を押し込み、滑動部材５０Ａと係合凹部４２Ａ１との間及び滑動部材５０Ｂと係合凹部４２Ｂ１との間の係合解除を行った後、案内溝部４２Ａ及び案内溝部４２Ｂに沿って基準位置まで移動させることとなる。
【００３５】
したがって、上述した本実施形態では、排出された印刷用紙Ｐが収容される用紙収容部１０と、用紙収容部１０の上方に設けられた操作装置３０とを有する複写機１であって、操作装置３０を、用紙収容部１０の上方で用紙収容部１０に臨んで印刷用紙Ｐを視認させる視認領域に位置する基準位置と、視認領域から退避した退避位置との間で移動させる移動機構４０を有するという構成を採用することによって、基準位置に位置し操作者の視界を遮る操作装置３０を、用紙収容部１０に臨む視線Ｈの視認領域から退避する退避位置に移動させることができる。
したがって、本実施形態では、用紙収容部１０に収容された印刷用紙Ｐの視認を容易にさせることができる効果がある。
【００３６】
また、本実施形態においては、移動機構４０は、退避位置において操作装置３０の操作面３０ａを垂直に傾けるという構成を採用することによって、操作装置３０が複写機本体の手前側に突出する突出量を低減させることで、印刷用紙Ｐの視認をより確実にさせることができる。
【００３７】
また、本実施形態においては、移動機構４０は、基準位置から退避位置まで延在する案内溝部４２Ａ及び案内溝部４２Ｂと、操作装置３０に設けられ、案内溝部４２Ａに沿って移動自在な滑動部材５０Ａ及び案内溝部４２Ｂに沿って移動自在な滑動部材５０Ｂとを有するという構成を採用することによって、操作装置３０を案内溝部４２Ａ及び案内溝部４２Ｂに沿わせて移動させることによって、操作装置３０を基準位置と退避位置との間で容易に移動させることができる。
【００３８】
また、本実施形態においては、案内溝部４２Ａには、基準位置にて滑動部材５０Ａが係合する係合凹部４２Ａ２が、退避位置にて滑動部材５０Ａが係合する係合凹部４２Ａ１が設けられ、また、案内溝部４２Ｂには、基準位置にて滑動部材５０Ｂが係合する係合凹部４２Ｂ２が、退避位置にて滑動部材５０Ｂが係合する係合凹部４２Ｂ１が設けられ、移動機構４０は、滑動部材５０Ａ及び滑動部材５０Ｂを付勢して各係合凹部に係合させるバネ部材７０を有するという構成を採用することによって、操作装置３０を基準位置及び退避位置に移動させたとき各係合凹部に滑動部材５０Ａ及び滑動部材５０Ｂが係合して、基準位置及び退避位置にて操作装置３０を自動的に固定することができる。
【００３９】
また、本実施形態においては、バネ部材７０の付勢方向と逆方向に滑動部材５０Ａ及び滑動部材５０Ｂを移動させて、各係合凹部との係合を解除する押し込み部材６０を有するという構成を採用することによって、押し込み部材６０を押し込むという一つの動作で、滑動部材５０Ａ及び滑動部材５０Ｂと各係合凹部との係合解除を一度にすることができる。
【００４０】
また、本実施形態においては、案内溝部４２Ａ及び案内溝部４２Ｂは、所定の距離で離間して一対となって設けられており、係合凹部４２Ａ１及び係合凹部４２Ａ２が、案内溝部４２Ｂ側に設けられ、係合凹部４２Ｂ１及び係合凹部４２Ｂ２が、案内溝部４２Ａ側に設けられているという構成を採用することによって、案内溝部４２Ａ及び案内溝部４２Ｂに沿って移動する滑動部材５０Ａ及び滑動部材５０Ｂを互いに近接離間させることで滑動部材５０Ａ及び滑動部材５０Ｂと各係合凹部との係合及び係合解除を容易にさせることができる。
【００４１】
以上、図面を参照しながら本実施形態の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４２】
例えば、上記実施形態において、操作装置３０の移動は、操作者の手によって行われると説明したが、本発明は、当該構成に限定されるものではない。
例えば、操作装置３０を基準位置と退避位置との間でモータ等の駆動により移動させる構成であっても良い。
また、例えば、複写機１による画像形成処理の後、印刷用紙Ｐが用紙収容部１０に排出したことを検出し、操作装置３０を自動的に基準位置から退避位置へ移動させる構成であっても良い。
【００４３】
また、上記実施形態において、案内溝部４２Ａ及び案内溝部４２Ｂは、レール部材４１Ａ及びレール部材４１Ｂに形成されると説明したが、上記構成に限定されるものでは無く、例えば、複写機本体に案内溝部４２Ａ及び案内溝部４２Ｂが形成される構成であっても良い。
【図面の簡単な説明】
【００４４】
【図１】本発明の実施の形態における複写機を示す斜視図である。
【図２】本発明の実施の形態における移動機構が備えるレール部材を示す斜視図である。
【図３】本発明の実施の形態におけるレール部材の案内溝部に沿った線視Ｘ−Ｘ断面図である。
【図４】本発明の実施の形態における滑動部材と操作装置との接続関係を示す平面図である。
【図５】本発明の実施の形態における操作装置の内部構造を示す断面図である。
【図６】図５（ａ）における矢印Ｙから視た要部拡大図である。
【図７】本発明の実施の形態における操作装置が基準位置または、退避位置にあるときの複写機を示す右側面図である。
【符号の説明】
【００４５】
１…複写機（画像形成装置）、１０…用紙収容部、３０…操作装置（操作部）、３０ａ…操作面、４０…移動機構、４２Ａ，４２Ｂ…案内溝部、４２Ａ１，４２Ａ２，４２Ｂ１，４２Ｂ２…係合凹部、５０Ａ，５０Ｂ…滑動部材、６０…押し込み部材（係合解除装置）、７０…バネ部材（付勢装置）、Ｐ…印刷用紙
【図１】
2009210885.tif 000003
【図２】
2009210885.tif 000004
【図３】
2009210885.tif 000005
【図４】
2009210885.tif 000006
【図５】
2009210885.tif 000007
【図６】
2009210885.tif 000008
【図７】
2009210885.tif 000009